(57)【要約】【課題】小型かつ低消費電力のカメラのブレ補正機構を提供すること。【解決手段】ＣＣＤチップ２が搭載され、左右駆動用エレクトレットパターン５ａが形成されたシート状部材１と左右駆動用エレクトレットパターン５ａに対向するようにして配置される左右駆動電極１２ａを有する基板１１と貼り合わせした状態で、ＣＣＤシフトドライバ４１から左右駆動電極１２ａに駆動パルスと方向信号とを印加する。これにより、左右駆動用エレクトレットパターン５ａと左右駆動電極１２ａとの間に静電気力を発生させてシート状部材１を移動させ、ブレ補正を行う。【選択図】図５
2006005542.tif 000002
【特許請求の範囲】
【請求項１】
被写体像を光電変換する撮像素子と、
上記撮像素子が搭載されるシート状部材であって、第１の方向に配置された第１のエレクトレット領域群と上記第１の方向と異なる第２の方向に配置された第２のエレクトレット領域群とを有するシート状部材と、
上記シート状部材に対向するように設けられた基板であって、上記第１のエレクトレット領域群に対向するようにして配置された第１の駆動電極群と上記第２のエレクトレット領域群に対向するようにして配置された第２の駆動電極群とを有する基板と、
上記第１の駆動電極群に走査電圧を印加することで上記第１のエレクトレット群に対して静電気力を作用させて上記撮像素子を上記第１の方向に変位させる第１の走査電圧印加部と、
上記第２の駆動電極群に走査電圧を印加することで上記第２のエレクトレット群に対して静電気力を作用させて上記撮像素子を上記第２の方向に変位させる第２の走査電圧印加部と、
を具備することを特徴とするカメラのブレ補正機構。
【請求項２】
上記シート状部材は、
上記撮像素子が搭載され、その周囲に上記第１のエレクトレット領域群と上記第２のエレクトレット領域群とが形成された中央部位と、
上記基板に対して固定される周辺部位と、
上記中央部位と上記周辺部位とに囲まれた伸縮可能部位と、
を有してなることを特徴とする請求項１に記載のカメラのブレ補正機構。
【請求項３】
上記シート状部材の上記周辺部位には外部リードを引き出すための第１の電極が形成されており、上記シート状部材の上記中央部位には上記撮像素子の電極と接続される第２の電極が形成されており、上記第１の電極及び上記第２の電極は、上記伸縮可能部位を通して上記基板と配線接続されていることを特徴とする請求項２に記載のカメラのブレ補正機構。
【請求項４】
上記伸縮可能部位は弾性を有し、常時は上記撮像素子を上記シート状部材の略中央に付勢し、上記撮像素子の変位時は該撮像素子の変位に追従して伸縮することを特徴とする請求項２又は３に記載のカメラのブレ補正機構。
【請求項５】
上記第１の走査電圧印加部は、上記第１の駆動電極群にパルス的な走査電圧を印加し、
上記第２の走査電圧印加部は、上記第２の駆動電極群にパルス的な走査電圧を印加することを特徴とする請求項１に記載のカメラのブレ補正機構。
【請求項６】
上記第１のエレクトレット領域群と上記第２のエレクトレット領域群は、それぞれ帯状のエレクトレット部位が所定ピッチで形成されることで構成されていることを特徴とする請求項１に記載のカメラのブレ補正機構。
【請求項７】
上記第１の方向と上記第２の方向とは、互いに直交していることを特徴とする請求項１に記載のカメラのブレ補正機構。
【発明の詳細な説明】
【技術分野】
【０００１】
本発明は、カメラのブレ補正機構に関し、特に撮像素子を駆動させることによってブレ補正を行うカメラのブレ補正機構に関する。
【背景技術】
【０００２】
従来、カメラを長時間保持した状態で発生する手ブレによる画像のブレを防止するためのブレ補正機構については、種々の技術が提案されている。このブレ補正機構の一例として、画像のブレ状態に対応して撮像素子を機械的に駆動することにより画像のブレを防止するブレ補正機構が例えば、特許文献１において提案されている。この特許文献１の提案では、撮像素子を上下方向及び左右方向に駆動するための２つの圧電アクチュエータを、撮像素子に直結することで手ブレによる画像のブレを防止するようにしている。
【特許文献１】特開２０００−３０７９３７号公報
【発明の開示】
【発明が解決しようとする課題】
【０００３】
ここで、圧電アクチュエータに用いる圧電素子は、その変位量があまり大きくないので、実際に撮像素子の駆動を行うためには、何らかの変位量拡大機構が必要となりブレ補正機構を小型化することが困難である。また、消費電力も大きくなる。
【０００４】
本発明は、上記の事情に鑑みてなされたもので、小型かつ低消費電力のカメラのブレ補正機構を提供することを目的とする。
【課題を解決するための手段】
【０００５】
上記の目的を達成するために、本発明の第１の態様によるカメラのブレ補正機構は、被写体像を光電変換する撮像素子と、上記撮像素子が搭載されるシート状部材であって、第１の方向に配置された第１のエレクトレット領域群と上記第１の方向と異なる第２の方向に配置された第２のエレクトレット領域群とを有するシート状部材と、上記シート状部材に対向するように設けられた基板であって、上記第１のエレクトレット領域群に対向するようにして配置された第１の駆動電極群と上記第２のエレクトレット領域群に対向するようにして配置された第２の駆動電極群とを有する基板と、上記第１の駆動電極群に走査電圧を印加することで上記第１のエレクトレット群に対して静電気力を作用させて上記撮像素子を上記第１の方向に変位させる第１の走査電圧印加部と、上記第２の駆動電極群に走査電圧を印加することで上記第２のエレクトレット群に対して静電気力を作用させて上記撮像素子を上記第２の方向に変位させる第２の走査電圧印加部とを具備することを特徴とする。
【０００６】
この第１の態様によれば、カメラのブレ補正機構をエレクトレットを利用した静電アクチュエータで構成することができる。
【発明の効果】
【０００７】
本発明によれば、小型かつ低消費電力のカメラのブレ補正機構を提供することができる。
【発明を実施するための最良の形態】
【０００８】
以下、図面を参照して本発明の実施形態を説明する。  
本一実施形態のカメラのブレ補正機構は、手ブレなどのカメラの揺れを検出して画像のブレ状態を検出し、その検出したブレ状態に応じて、被写体像を光電変換する撮像素子（ＣＣＤチップ）を駆動することで、手ブレなどによる画像のブレを防止する形態のものである。ここで、本一実施形態のカメラのブレ補正機構では、エレクトレットを用いた静電駆動により、撮像素子の駆動を行うようにする。
【０００９】
図１（ａ）は本一実施形態のカメラのブレ補正機構を構成するシート状部材の構成について示す図である。図１（ａ）に示すように、シート状部材１の中央部位にはＣＣＤチップ２が搭載されている。このＣＣＤチップ２はボンディングワイヤ３を介して第２の電極としての電極パッド４に接続されている。また、ＣＣＤチップ２の周囲には、帯状のエレクトレット部位が所定のピッチで形成された第１のエレクトレット領域群としての左右駆動用エレクトレットパターン５ａ、５ｂと、これら左右駆動用エレクトレットパターン５ａ、５ｂと直交するようにして帯状のエレクトレット部位が所定のピッチで形成された第２のエレクトレット領域群としての上下駆動用エレクトレットパターン６ａ、６ｂとが形成されている。ここで、エレクトレット部位とは、永久分極状態にされた誘電体部位のことである。即ち、このエレクトレット部位においては帯電状態がほぼ永久的に保持される。このようなエレクトレット部位を形成する場合には、例えばポリイミド樹脂やフッ素樹脂などの誘電体部材に対して高電圧を印加する。
【００１０】
また、シート状部材１の周辺部位には、第１の電極としての電極引き出しパッド７が設けられている。この電極引き出しパッド７からはワイヤがシート状部材１外部の図示しない回路系に引き出されている。また、シート状部材１の周辺部位は基板に対して固定される。これにより、シート状部材と基板とが貼り合わされる。
【００１１】
また、シート状部材１の中央部位と周辺部位との間には弾性を有する伸縮可能部位としてのメッシュ領域８が形成されている。ここで、電極パッド４と電極引き出しパッド７とはメッシュ領域を通して配線接続されている。このようにメッシュ領域８を通して配線接続を行うことにより、シート状部材１の配線部分にも伸縮性を持たせることができる。
【００１２】
図１（ｂ）は、本一実施形態のカメラのブレ補正機構を構成する基板の構成について示す図である。図１（ｂ）に示すように、基板１１には、シート状部材１に形成された左右駆動用エレクトレットパターン５ａ、５ｂと対向するように第１の駆動電極群としての左右駆動電極１２ａ、１２ｂが設けられている。これら左右駆動電極１２ａ、１２ｂは、左右駆動用電極パッド１３を介して基板１１外部に設けられた図示しないＣＣＤシフトドライバに配線接続されている。また、基板１１には、シート状部材１に形成された上下駆動用エレクトレットパターン６ａ、６ｂと対向するように第２の駆動電極群としての上下駆動電極１４ａ、１４ｂが設けられている。これら上下駆動電極１４ａ、１４ｂは、上下駆動用電極パッド１５を介して基板１１外部に設けられた図示しないＣＣＤシフトドライバに配線接続されている。
【００１３】
図２は、シート状部材１と基板１１とを貼り合わせしたときの様子を示す側面図である。図２に示すように、シート状部材１の周辺部位は接着材２１を介して基板１１に対して固定される。ここで、図２の構成をパッケージングする際には基板ごと封止することができる。
【００１４】
このような構成において、左右駆動電極１２ａ、１２ｂ及び上下駆動電極１４ａ、１４ｂに電圧が印加されていない状態において、ＣＣＤチップ２はメッシュ領域８の付勢力によって中央位置に付勢されている。この状態で、カメラの揺れが検出されると、ブレ補正のために左右駆動電極１２ａ、１２ｂ及び上下駆動電極１４ａ、１４ｂに電圧が印加される。このとき、左右駆動用エレクトレットパターン５ａ、５ｂとこれらに対向するようにして設けられた左右駆動電極１２ａ、１２ｂとの間及び上下駆動用エレクトレットパターン６ａ、６ｂとこれらに対向するようにして設けられた上下駆動電極１４ａ、１４ｂとの間に静電気力が発生する。これにより、図３（ｂ）に示すようにしてシート状部材１、即ちＣＣＤチップ２が左右方向（Ｘ軸方向）及び上下方向（Ｙ軸方向）に移動する。また、ＣＣＤチップ２の変位に追従してメッシュ領域８が伸縮する。このような動作を経てブレの補正が行われる。また、この状態で左右駆動電極１２ａ、１２ｂ及び上下駆動電極１４ａ、１４ｂへの電圧印加が停止されると、メッシュ領域８の付勢力によってＣＣＤチップ２の位置が中央位置に戻り、図３（ａ）の状態になる。
【００１５】
図４はカメラで発生した揺れを検出するための構成について示す図である。図４においてＣＣＤチップ２の駆動制御を行うマイクロコンピュータ３１には、ジャイロセンサドライバ３２が接続されている。更に、ジャイロセンサドライバ３２はジャイロセンサ３３に接続されている。このような構成において、ジャイロセンサ３３においてカメラの揺れが検出されると、この揺れの大きさ及び向きに応じてジャイロセンサドライバ３２から角速度信号が出力される。この角速度信号に基づいてマイクロコンピュータ３１では、ブレの補正に必要なシート状部材１の駆動量及び駆動速度が算出され、これら算出された駆動量や駆動速度に応じた駆動パルスと、その駆動方向を示す方向信号とが図示しないＣＣＤシフトドライバに出力される。ＣＣＤシフトドライバでは、これら駆動パルスと方向信号とに基づいてシート状部材１の駆動が行われる。
【００１６】
図５は、シート状部材１と基板１１と共に、シート状部材１を駆動するための第１の走査電圧印加部及び第２の走査電圧印加部としてのＣＣＤシフトドライバを示した図である。なお、図５では左右駆動用エレクトレットパターン５ａと左右駆動電極１２ａのみを図示しているが、他のエレクトレットパターン及び駆動電極の構成も図５と同様のものが適用できる。
【００１７】
図５において、ＣＣＤシフトドライバ４１には４相の電圧信号線Ａ〜Ｄが接続されており、これら４相の電圧信号線は、左右駆動用電極パッド１３を介して左右駆動電極１２ａに配線接続されている。また、シート状部材１の左右駆動用エレクトレットパターン５ａは、正負の極性を持つエレクトレットパターンが交互に形成されている。
【００１８】
例えば、マイクロコンピュータからＣＣＤシフトドライバ４１に図６（ａ）に示すＸ軸駆動パルスが入力され、駆動方向が右方向であることを示すＸ軸方向信号が入力された場合には、ＣＣＤシフトドライバ４１において、図６（ａ）〜図６（ｄ）で示す４相のＸ軸駆動パルスが生成され、これら４相のＸ軸駆動パルスが左右駆動電極１２ａに印加される。
【００１９】
ここで、ＣＣＤシフトドライバ４１で生成される４相のＸ軸駆動パルスは、図６（ａ）のＸ軸駆動パルスを基準として１/４周期づつ位相が進んでいる駆動パルスである。このため、これらＸ軸駆動パルスの最初の１/４周期の期間では、電圧信号線Ａの極性は正、電圧信号線Ｂの極性は負、電圧信号線Ｃの極性は負、電圧信号線Ｄの極性は正となる。このとき、正の極性を持つ左右駆動用エレクトレットパターン５ａは、電圧信号線Ａと接続された左右駆動電極１２ａから反発力を受け、電圧信号線Ｂと接続された左右駆動電極１２ａから吸引力を受ける。同様に、負の極性を持つ左右駆動用エレクトレットパターン５ａは、電圧信号線Ｃと接続された左右駆動電極１２ａから反発力を受け、電圧信号線Ｄと接続された左右駆動電極１２ａから吸引力を受ける。この結果、シート状部材１は左右駆動電極１２ａの間隔分右方向に移動する。
【００２０】
また、次の１/４周期の期間では、電圧信号線Ａの極性は正、電圧信号線Ｂの極性は正、電圧信号線Ｃの極性は負、電圧信号線Ｄの極性は負となる。このとき、正の極性を持つ左右駆動用エレクトレットパターン５ａは、電圧信号線Ｂと接続された左右駆動電極１２ａから反発力を受け、電圧信号線Ｃと接続された左右駆動電極１２ａから吸引力を受ける。同様に、負の極性を持つ左右駆動用エレクトレットパターン５ａは、電圧信号線Ｄと接続された左右駆動電極１２ａから反発力を受け、電圧信号線Ａと接続された左右駆動電極１２ａから吸引力を受ける。この結果、シート状部材１は左右駆動電極１２ａの間隔分更に右方向に移動する。
【００２１】
また、更に次の１/４周期の期間では、電圧信号線Ａの極性は負、電圧信号線Ｂの極性は正、電圧信号線Ｃの極性は正、電圧信号線Ｄの極性は負となる。このとき、正の極性を持つ左右駆動用エレクトレットパターン５ａは、電圧信号線Ｃと接続された左右駆動電極１２ａから反発力を受け、電圧信号線Ｄと接続された左右駆動電極１２ａから吸引力を受ける。同様に、負の極性を持つ左右駆動用エレクトレットパターン５ａは、電圧信号線Ａと接続された左右駆動電極１２ａから反発力を受け、電圧信号線Ｂと接続された左右駆動電極１２ａから吸引力を受ける。この結果、シート状部材１は左右駆動電極１２ａの間隔分更に右方向に移動する。
【００２２】
また、更に次の１/４周期の期間では、電圧信号線Ａの極性は負、電圧信号線Ｂの極性は負、電圧信号線Ｃの極性は正、電圧信号線Ｄの極性は正となる。このとき、正の極性を持つ左右駆動用エレクトレットパターン５ａは、電圧信号線Ｄと接続された左右駆動電極１２ａから反発力を受け、電圧信号線Ａと接続された左右駆動電極１２ａから吸引力を受ける。同様に、負の極性を持つ左右駆動用エレクトレットパターン５ａは、電圧信号線Ｂと接続された左右駆動電極１２ａから反発力を受け、電圧信号線Ｃと接続された左右駆動電極１２ａから吸引力を受ける。この結果、シート状部材１は左右駆動電極１２ａの間隔分更に右方向に移動する。
【００２３】
以後、上記のような動作を繰り返してシート状部材１は、図５の矢印Ａ方向（右方向）に移動していく。
【００２４】
一方、マイクロコンピュータからＣＣＤシフトドライバ４１に図７（ａ）に示すＸ軸駆動パルスが入力され、駆動方向が左方向であることを示すＸ軸方向信号が入力された場合には、ＣＣＤシフトドライバ４１において、図７（ａ）〜図７（ｄ）で示す４相のＸ軸駆動パルスが生成され、これら４相のＸ軸駆動パルスが左右駆動電極１２ａに印加される。ここで、ＣＣＤシフトドライバ４１で生成される４相のＸ軸駆動パルスは、図７（ａ）のＸ軸駆動パルスを基準として１/４周期づつ位相が遅れている駆動パルスである。これら図７（ａ）〜図７（ｄ）に示すＸ軸駆動パルスに従って、シート状部材１は、図５の矢印Ａ方向とは逆方向（左方向）に移動する。
【００２５】
図８は、本一実施形態に係るカメラのブレ補正機構を搭載したカメラの構成を示すブロック図である。
【００２６】
図８において、このカメラは、ボディユニット１００と、アクセサリ装置として、例えば交換可能なレンズユニット（すなわちレンズ鏡筒）１１２と、通信コネクタ１３５を介して撮影した画像データを記録しておく記録メディア１３９と、ストロボ通信コネクタ１８５を介して接続される外付けのストロボユニット１８０とを有して構成されている。
【００２７】
上記レンズユニット１１２は、上記ボディユニット１００の前面に設けられた、図示しないレンズマウントを介して着脱自在に装着可能である。そして、上記レンズユニット１１２は、撮影レンズ１１２ａ及び１１２ｂと、絞り１０３と、レンズ駆動機構１０２と、絞り駆動機構１０４と、レンズ制御用マイクロコンピュータ（以下、Ｌμｃｏｍと称する）１０５とから構成されている。
【００２８】
上記撮影レンズ１１２ａ及び１１２ｂは、レンズ駆動機構１０２内に存在する図示しないＤＣモータによって、光軸方向に駆動される。絞り１０３は、絞り駆動機構１０４内に存在する図示しないステッピングモータによって駆動される。また、Ｌμｃｏｍ１０５は、上記レンズ駆動機構１０２や絞り駆動機構１０４等、レンズユニット１１２内の各部を駆動制御する。このＬμｃｏｍ１０５は、通信コネクタ１０６を介して、後述するボディ制御用マイクロコンピュータ１５０と電気的に接続がなされ、該ボディ制御用マイクロコンピュータ１５０の指令に従って制御される。
【００２９】
一方、ボディユニット１００は、以下のように構成されている。
【００３０】
レンズユニット１１２内の撮影レンズ１１２ａ及び１１２ｂ、絞り１０３を介して入射される図示しない被写体からの光束は、クイックリターンミラー１１３ｂで反射されて、ペンタプリズム１１３ａを介して接眼レンズ１１３ｃに至る。
【００３１】
ここで、上記クイックリターンミラー１１３ｂの中央部はハーフミラーになっており、該クイックリターンミラー１１３ｂがダウン（図示の位置）した際に一部の光束が透過する。そして、この透過した光束は、クイックリターンミラー１１３ｂに設置されたサブミラー１１３ｄで反射され、自動測距を行うためのＡＦセンサユニット１３０ａに導かれる。なお、上記クイックリターンミラー１１３ｂのアップ時には、サブミラー１１３ｄは折り畳まれるようになっている。
【００３２】
上記クイックリターンミラー１１３ｂの後方には、シャッタ装置やＣＣＤチップを含むカメラのブレ防止機構を備えた撮像モジュール１３１が設けられている。図示しないが、クイックリターンミラー１１３ｂが光路より退避した場合、撮影レンズ１１２ａ及び１１２ｂを通過した光束が撮像モジュール１３１内のＣＣＤチップに結像される。
【００３３】
また、ボディユニット１００は、上記撮像モジュール１３１内のＣＣＤチップに接続された撮像素子インターフェイス回路１３４と、記憶領域として設けられたＳＤＲＡＭ１３８と、液晶モニタ１３６及び上記通信コネクタ１３５を介して記録メディア１３９とが、画像処理を行うための画像処理コントローラ１４０に接続されている。これらは、電子撮像機能と共に電子記録表示機能を提供できるように構成されている。
【００３４】
上記記録メディア１３９は、各種のメモリカードや外付けのハードディスクドライブ（ＨＤＤ）等の外部記録媒体であり、通信コネクタ１３５を介してボディユニット１００と通信可能、且つ交換可能に装着される。
【００３５】
上記画像処理コントローラ１４０は、通信コネクタ１３５と、測光回路１３２と、ミラー駆動機構１１８と、ＡＦセンサ駆動回路１３０ｂと、シャッタ駆動制御回路１４８と、ジャイロセンサドライバ１６２を介してジャイロセンサ１６１と、ＣＣＤシフトドライバ１６３等と共に、このボディユニット１００内の各部を制御するためのボディ制御用マイクロコンピュータ（以下、Ｂμｃｏｍと略記する）１５０に接続されている。
【００３６】
更に、上記Ｂμｃｏｍ１５０には、当該カメラの動作状態を表示出力によって撮影者へ告知するための動作表示用ＬＣＤ１５７と、カメラ操作スイッチ（ＳＷ）１５２と、電源回路１５３を介して電池１５４とが接続されている。
【００３７】
なお、上記Ｂμｃｏｍ１５０とＬμｃｏｍ１０５とは、レンズユニット１１２の装着時において、通信コネクタ１０６を介して通信可能に電気的接続がなされる。そして、デジタルカメラとしてＬμｃｏｍ１０５がＢμｃｏｍ１５０に従属的に協働しながら稼動するようになっている。
【００３８】
上記測光回路１３２は、上記ペンタプリズム１１３ａからの光束に基づいて測光処理する回路である。上記ミラー駆動機構１１８はクイックリターンミラー１１３ｂを駆動制御する機構であり、ＡＦセンサ駆動回路１３０ｂは上記ＡＦセンサユニット１３０ａを駆動制御するための回路である。また、シャッタ駆動制御回路１４８は、上記シャッタ装置の動きを制御すると共に、Ｂμｃｏｍ１５０との間でシャッタの開閉動作を制御する信号とストロボと同調するストロボ同調信号の授受を行う。
【００３９】
動作表示用ＬＣＤ１５７は、当該カメラの動作状態等を表示出力によってユーザへ告知するためのものである。上記カメラ操作スイッチ１５２は、例えば撮影動作の実行を指示するレリーズスイッチ、撮影モードと画像表示モードを切り換えるモード変更スイッチ及びパワースイッチ等、当該カメラを操作するために必要な操作釦によって操作されるスイッチ群で構成される。
【００４０】
更に、電源回路１５３は、電源としての電池１５４の電圧を、当該カメラの各回路ユニットが必要とする電圧に変換して供給するために設けられている。
【００４１】
ストロボユニット１８０は、閃光発光部１８１と、ＤＣ／ＤＣコンバータ１８２と、ストロボ制御用マイクロコンピュータ１８３及び電池１８４とから成っている。そして、このストロボユニット１８０は、ストロボ通信コネクタ１８５を介して、ボディユニット１００と通信可能に装着可能である。
【００４２】
このように構成されたデジタルカメラの各部は、次のように稼動する。
【００４３】
まず、Ｂμｃｏｍ１５０の指令に従って画像処理コントローラ１４０により、撮像素子インターフェイス回路１３４が制御されて、撮像モジュール１３１から画像データが取り込まれる。この画像データは、一時保管用メモリであるＳＤＲＡＭ１３８に取り込まれる。このＳＤＲＡＭ１３８は、画像データが変換される際のワークエリア等に使用される。また、この画像データは、ＪＰＥＧデータに変換された後には、記録メディア１３９に保管されるように設定されている。
【００４４】
このとき、このジャイロセンサ１６１により、ボディユニット１００の揺れが検出された場合には、ジャイロセンサドライバ１６２からＢμｃｏｍ１５０に角速度信号が検出される。Ｂμｃｏｍ１５０では、入力された角速度信号によってブレの状態が判定され、このブレを低減させるような方向にシート状部材を駆動するための駆動パルスと方向信号とがＣＣＤシフトドライバ１６３に出力される。ＣＣＤシフトドライバ１６３では入力された駆動パルスと方向信号とに基づいてシート状部材の駆動が行われる。
【００４５】
ミラー駆動機構１１８は、上述したように、クイックリターンミラー１１３ｂをアップ（ＵＰ）位置とダウン（ＤＯＷＮ）位置へ駆動するための機構である。ミラー駆動機構１１８によってクイックリターンミラー１１３ｂがダウン位置にある時、撮影レンズ１１２ａ及び１１２ｂからの光束は、ＡＦセンサユニット１３０ａ側とペンタプリズム１１３ａ側へと分割されて導かれる。
【００４６】
ＡＦセンサユニット１３０ａ内のＡＦセンサからの出力は、ＡＦセンサ駆動回路１３０ｂを介してＢμｃｏｍ１５０へ送信されて、周知の測距処理が行われる。
【００４７】
一方、ペンタプリズム１１３ａに隣接する接眼レンズ１１３ｃからは、撮影者が被写体を目視できる。また、上記ペンタプリズム１１３ａを通過した光束の一部は、測光回路１３２内の図示しないホトセンサへ導かれ、ここで検知された光量に基づいて周知の測光処理が行われる。
【００４８】
シャッタ駆動制御回路１４８では、Ｂμｃｏｍ１５０からシャッタを駆動制御するための信号が受取られると、その信号に基づいてシャッタ装置が制御される。それと共に、シャッタ駆動制御回路１４８から、所定のタイミングでＢμｃｏｍ１５０にストロボを発光させるためのストロボ同調信号が出力される。Ｂμｃｏｍ１５０からは、このストロボ同調信号に基づいて、ストロボユニット１８０に通信により発光指令信号が出力される。
【００４９】
また、撮影者によって上述したカメラ操作スイッチ１５２の中のモード変更スイッチが操作されて、撮影モードから画像表示モードへ切り換えられると、記録メディア１３９に保管された画像データが読み出されて、液晶モニタ１３６に表示可能である。記録メディア１３９から読み出された画像データは、画像処理コントローラ１４０においてビデオ信号に変換され、液晶モニタ１３６にて出力表示される。
【００５０】
以上説明したように、本一実施形態によれば、カメラで発生した揺れなどによって生じた画像のブレに応じて撮像素子を駆動させるカメラのブレ補正機構をエレクトレットを利用した静電アクチュエータで構成するようにすることにより、シート状部材と基板だけでカメラのブレ補正機構を構成することができ、薄型化が可能である。
【００５１】
また、パルス駆動によってシート状部材の駆動が可能であるのでシート状部材のオープン制御が可能である。
【００５２】
さらには、シート状部材の中央部位と周辺部位との間にメッシュ領域を設けることにより、メッシュ領域の弾性により、シート状部材の駆動を行っていない間は、ＣＣＤチップの位置を常に中央位置にしておくことが可能である。
【００５３】
以上実施形態に基づいて本発明を説明したが、本発明は上記した実施形態に限定されるものではなく、本発明の要旨の範囲内で種々の変形や応用が可能なことは勿論である。
【００５４】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００５５】
【図１】本発明の一実施形態のカメラのブレ補正機構の構成について示す図であって、図１（ａ）はカメラのブレ補正機構を構成するシート状部材の構成図であり、図１（ｂ）は本発明の一実施形態のカメラのブレ補正機構を構成する基板の構成図である。
【図２】シート状部材と基板とを貼り合わせしたときの様子を示す側面図である。
【図３】本発明の一実施形態のカメラのブレ補正機構の動作について示すである。
【図４】カメラで発生した揺れを検出するための構成について示す図である。
【図５】シート状部材と基板と共に、シート状部材を駆動するためのＣＣＤシフトドライバを示した図である。
【図６】シート状部材を右方向に駆動するためのＸ軸駆動パルスについて示す図である。
【図７】シート状部材を左方向に駆動するためのＸ軸駆動パルスについて示す図である。
【図８】本発明の一実施形態に係るカメラのブレ補正機構を搭載したカメラの構成を示すブロック図である。
【符号の説明】
【００５６】
１…シート状部材、２…ＣＣＤチップ、３…ボンディングワイヤ、４…電極パッド、５ａ，５ｂ…左右駆動用エレクトレットパターン、６ａ，６ｂ…上下駆動用エレクトレットパターン、７…電極引き出しパッド、８…メッシュ領域、１１…基板、１２ａ，１２ｂ…左右駆動電極、１３…左右駆動用電極パッド、１４ａ，１４ｂ…上下駆動電極、１５…上下駆動用電極パッド、２１…接着材、３１…マイクロコンピュータ、３２…ジャイロセンサドライバ、３３…ジャイロセンサ、４１…ＣＣＤシフトドライバ
【図１】
2006005542.tif 000003
【図２】
2006005542.tif 000004
【図３】
2006005542.tif 000005
【図４】
2006005542.tif 000006
【図５】
2006005542.tif 000007
【図６】
2006005542.tif 000008
【図７】
2006005542.tif 000009
【図８】
2006005542.tif 000010